(57)【要約】【課題】  より大きな表示部分を有する表示パネルの冷却を可能としつつ、簡素かつコンパクトな構成を有する冷却装置を備えた表示装置を提供する。【解決手段】  冷却領域３０から放熱領域４０に亘って連続的にグルーブ２１Ｇ，１１Ｇが形成された冷却装置２０は、熱輸送媒体封止基板２１および駆動パネル１１と、熱輸送媒体封止基板２１と駆動パネル１１との間に設けられたシールパターン２２とにより構成される。熱輸送媒体封止基板２１と駆動パネル１１との間には流路２３が形成され、この流路２３の内部に密封された熱輸送媒体２４が、表示パネル１０から吸熱して冷却領域３０と放熱領域４０との間を循環する。この結果、表示部分１０Ｓにおいて発生した熱を外部へ放出することができる。【選択図】        図１
2005337612.tif 000002
【特許請求の範囲】
【請求項１】
互いに対向配置されると共に少なくとも一方の表面に冷却領域を有し、前記冷却領域が冷却対象物に接触するように配置される一対の基板と、
前記一対の基板の間に設けられ、前記冷却領域から前記冷却領域以外の放熱領域に亘る流路を形成するシールパターンと、
前記流路内に密封され、前記冷却対象物から吸熱して前記冷却領域と前記放熱領域との間を循環することにより熱輸送を行う熱輸送媒体とを備えた
ことを特徴とする冷却装置。
【請求項２】
前記一対の基板の少なくとも一方の対向面に前記冷却領域から前記放熱領域に亘る連続的な溝部を有する
ことを特徴とする請求項１に記載の冷却装置。
【請求項３】
前記冷却領域において前記熱輸送媒体を気化させて吸熱し、前記放熱領域において前記熱輸送媒体を液化させて放熱する
ことを特徴とする請求項１に記載の冷却装置。
【請求項４】
前記シールパターンは、間隔調整部材を含んで構成されている
ことを特徴とする請求項１に記載の冷却装置。
【請求項５】
前記一対の基板は、ガラスまたはプラスチックフィルムからなる
ことを特徴とする請求項１に記載の冷却装置。
【請求項６】
前記シールパターンにより、各々短冊状で互いに平行配置された複数の流路が形成されている
ことを特徴とする請求項１に記載の冷却装置。
【請求項７】
表示部分を有する表示パネルと、この表示パネルを冷却するための冷却装置とを備えた表示装置であって、
前記冷却装置は、
互いに対向配置されると共に少なくとも一方の表面に冷却領域を有し、前記冷却領域が前記表示パネルの表示部分に接するように配置された一対の基板と、
前記一対の基板の間に設けられ、前記冷却領域から前記冷却領域以外の放熱領域に亘る流路を形成するシールパターンと、
前記流路内に密封され、前記表示パネルの表示部分から吸熱して前記冷却領域と前記放熱領域との間を循環することにより熱輸送を行う熱輸送媒体と
を備えたことを特徴とする表示装置。
【請求項８】
前記表示パネルを構成する一方の基板が前記冷却装置の一方の基板を兼ねている
ことを特徴とする請求項７に記載の表示装置。
【請求項９】
前記冷却装置を構成する一対の基板の少なくとも一方の対向面に前記冷却領域から前記放熱領域に亘る連続的な溝部を有する
ことを特徴とする請求項７に記載の表示装置。
【請求項１０】
前記冷却領域において前記熱輸送媒体を気化させて吸熱し、前記放熱領域において前記熱輸送媒体を液化させて放熱する
ことを特徴とする請求項７に記載の表示装置。
【請求項１１】
前記シールパターンは、間隔調整部材を含んで構成されている
ことを特徴とする請求項７に記載の表示装置。
【請求項１２】
前記一対の基板は、ガラスまたはプラスチックフィルムからなる
ことを特徴とする請求項７に記載の表示装置。
【請求項１３】
前記シールパターンにより、各々短冊状で互いに平行配置された複数の流路が形成されている
ことを特徴とする請求項７に記載の表示装置。
【発明の詳細な説明】
【技術分野】
【０００１】
本発明は、冷却装置およびそれを備えた表示装置に係り、特に、有機発光素子のような自発光素子を用いた表示パネルの昇温抑制に好適な冷却装置およびそれを備えた表示装置に関する。
【背景技術】
【０００２】
近年、電子表示装置の軽量化、薄型化および高画質化の要望が高まるなか、プラズマ表示パネル（ＰＤＰ；Plasma Display Panel）や、有機発光素子を用いた有機電界発光ディスプレイなど、様々な種類の電子表示装置が開発されている。
【０００３】
このような自発光型の電子表示デバイスでは、駆動に伴う消費電力として投入されるエネルギーのうち、表示パネルからの射出光に変換されるエネルギー以外のエネルギーの多くは熱に変換される。通常、自然放熱では、電子表示デバイスの温度上昇は避けられないので、何らかの放熱対策が必要である。従来、冷却ファンによる空冷を行う方法や表示パネルに放熱板を取り付けて熱伝導により冷却を行う方法のほか、放熱板にルートヒートパイプを設けて放熱性能を向上させる方法が開示されている（例えば、特許文献１参照）。
【０００４】
表示装置の冷却を行うものではないが、関連する技術として、パーソナルコンピュータ（パソコン）やディジタルカメラ等の電子機器装置の冷却を行う冷却装置が開示されている（例えば、特許文献２参照）。特許文献２に記載の冷却装置は、毛細管構造を有する金属製パイプからなるヒートパイプを備える替わりに、接着剤によって貼り合わされる一対の基板の内部に、水などの流体および気体が循環する流路からなるルート状のヒートパイプを形成したものである。この冷却装置は、小型・薄型であるうえ、高い冷却性能を実現している。
【０００５】
また、比較的薄型のヒートパイプとしては、特許文献３に開示されたものがある。このヒートパイプは、複数の細孔を有するアルミニウム合金製の押出偏平管等により蛇行細管体を構成し、高効率の熱交換特性を確保している。
【特許文献１】特開２００３−２８０５３１号公報
【特許文献２】特開２００３−１８５３６９号公報
【特許文献３】特開平８−２００９７４号公報
【発明の開示】
【発明が解決しようとする課題】
【０００６】
ところで、最近では、電子表示装置の大型化（表示パネルにおける表示部分の大型化、大画面化）が進んでおり、これに対応可能な冷却装置が求められている。すなわち、より大きな表示部分を有する表示パネルの冷却を可能としつつも、より薄型かつ軽量であることが求められている。
【０００７】
しかしながら、特許文献１に記載された画像表示装置では、表示部分とほぼ同等の表面積を有するアルミニウム等の放熱板の上に、さらにループ状のヒートパイプを設けるようにしているので、大画面化に伴う重量増を避けることは困難である。特許文献３のヒートパイプについても、大画面化に伴ってアルミニウム合金製の押出偏平管を大型化する必要があるうえ、強度確保の観点から押出偏平管の厚みを厚くする必要もあるので、重量増は避け難い。さらに、特許文献２の冷却装置では、基板を加工して複雑な構造の流路を形成する作業が繁雑であるうえ、この流路を加工する装置の大きさによって表示部分のサイズも制限されてしまう。加えて、流路を確保するために基板を加工して比較的大きな凹部を形成するので、表示部分のサイズに応じて強度確保の観点から基板の厚みを大きくせざるを得ない。このように、大画面化と、薄型化および軽量化との両立が十分に図れていない状況であった。
【０００８】
本発明はかかる問題点に鑑みてなされたもので、その第１の目的は、より大きな面積に亘る冷却を可能としつつ、簡素かつコンパクトな構成を有する冷却装置を提供することにある。
【０００９】
本発明の第２の目的は、大画面の表示パネルの冷却が可能であると共に、薄型化および軽量化を図ることができる表示装置を提供することにある。
【課題を解決するための手段】
【００１０】
本発明に係る冷却装置は、以下の（Ａ）〜（Ｃ）に記載された各構成要件を備えるようにしたものである。
（Ａ）互いに対向配置されると共に少なくとも一方の表面に冷却領域を有し、冷却領域が冷却対象物に接触するように配置される一対の基板
（Ｂ）一対の基板の間に設けられ、冷却領域から冷却領域以外の放熱領域に亘る流路を形成するシールパターン
（Ｃ）流路内に密封され、冷却領域と放熱領域との間を循環することにより熱輸送を行う熱輸送媒体
【００１１】
本発明に係る表示装置は、表示パネルを冷却するための冷却装置を備えており、その冷却装置が、以下の（Ａ）〜（Ｃ）に記載された各構成要件を有するようにしたものである。
（Ａ）互いに対向配置されると共に少なくとも一方の表面に冷却領域を有し、冷却領域が表示パネルの表示部分に接するように配置された一対の基板
（Ｂ）一対の基板の間に設けられ、冷却領域から冷却領域以外の放熱領域に亘る流路を形成するシールパターン
（Ｃ）流路内に密封され、冷却領域と放熱領域との間を循環することにより熱輸送を行う熱輸送媒体
【００１２】
本発明に係る冷却装置では、冷却対象となる物体（表示パネルの表示部分）から生じた熱が冷却領域へ伝達されたのち、流路に密封された熱輸送媒体によって放熱領域へ輸送される。ここでは、冷却領域において熱輸送媒体が気化することによって吸熱し、放熱領域において熱輸送媒体が液化することにより放熱する。この場合、冷却領域において気化した熱輸送媒体は、圧力差により流路の内部を放熱領域側へ移動し、放熱領域において液化した熱輸送媒体は流路の内部を冷却領域側へ移動する。
【発明の効果】
【００１３】
本発明に係る冷却装置によれば、一対の基板間にシールパターンを設けると共に、このシールパターンにより冷却領域から放熱領域に亘る流路を形成し、この流路内に密封された熱輸送媒体を冷却領域と放熱領域との間で循環させることにより熱輸送を行うようにしたので、簡素かつコンパクトな構成を確保しつつ、冷却対象物体がより広範囲に発熱する場合であっても十分な冷却を行うことができる。ここで、流路の内部圧力を調整することにより、所望の制御温度範囲を設定することができる。また、プラスチックフィルムにより一対の基板を構成するようにすると、可撓性が確保され、曲面を有する物体や、動きを伴う物体の冷却にも対応可能となる。また、シールパターンを、間隔調整部材を含んで構成することにより、一対の基板の間隔を高精度に調整することが容易であり、さらなる薄型化に有利となる。
【００１４】
また、本発明に係る表示装置によれば、上記本発明の冷却装置を表示パネルに対して一体化するようにしたので、簡素かつコンパクトな構成を確保しつつ、表示パネルが大型化しても十分な冷却を行うことができ、表示パネルの発熱に伴う損傷を防ぐことができる。また、表示パネルを構成する一方の基板が冷却装置を構成する基板を兼ねるようにすれば、より薄型化を図ることが可能になる。
【発明を実施するための最良の形態】
【００１５】
以下、本発明の実施の形態について、図面を参照して詳細に説明する。
【００１６】
まず、図１および図２を参照して、本発明の一実施の形態に係る表示装置の構成について説明する。図１は、本実施の形態の表示装置における平面構成（図１（Ａ））、断面構成（図１（Ｂ））および斜視構成（図１（Ｃ））を表すものである。但し、図１（Ａ）では、一部の図示を省略している。図１（Ｂ）は、図１（Ａ）のＩＢ−ＩＢ切断線における矢視方向の断面に対応する。
【００１７】
この表示装置は、例えば、パーソナルコンピュータのモニタあるいはテレビジョンなどの中大型の有機発光表示装置、またはホームシアターなどの大型の有機発光表示装置として用いられるものである。この表示装置は、有機発光素子を含み、画像の表示をおこなう表示部分１０Ｓを有する表示パネル１０と、この表示部分１０Ｓを冷却するための冷却装置２０とを備えている。
【００１８】
表示パネル１０は、駆動パネル１１と、ＸＹ平面内において駆動パネル１１よりも小さな面積を占める封止パネル１２とが互いに貼り合わされた構成となっている。表示部分１０Ｓは、駆動パネル１１および封止パネル１２の一部領域に対応する部分である。ここで、駆動パネル１１、封止パネル１２および表示部分１０Ｓは、それぞれの中心位置が一致するように構成されている。駆動パネル１１における駆動用基板１１１（後出）は、冷却装置２０を構成する一対の基板のうちの一方をも兼ねている。なお、表示パネル１０については、のちに詳述する。
【００１９】
冷却装置２０は、複数のヒートパイプ構造２０Ｈを備えており、表示部分１０Ｓの冷却を行う冷却領域３０と、冷却領域以外の領域に対応する放熱領域４０との間で熱輸送媒体２４（後出）を循環させて熱輸送をおこなうものである。
【００２０】
図２は、図１（Ｂ）の要部を拡大した断面図であり、冷却装置２０におけるヒートパイプ構造２０Ｈの１つを表している。冷却装置２０は、互いに対向する一対の基板としての熱輸送媒体封止基板２１および駆動パネル１１と、これら熱輸送媒体封止基板２１および駆動パネル１１に挟まれるように設けられたシールパターン２２とを有している。熱輸送媒体封止基板２１および駆動パネル１１は、例えばガラスからなり、それぞれ互いの対向面に冷却領域３０から放熱領域４０に亘って連続的に形成されたグルーブ２１Ｇ，１１Ｇを有している。グルーブ２１Ｇ，１１Ｇは、熱輸送媒体２４の毛細管現象を利用するためのウィックであって、例えば１００μｍの深さを有しており、Ｙ方向に延在している。なお、熱輸送媒体封止基板２１および駆動パネル１１は透明である必要はない。
【００２１】
シールパターン２２は、冷却領域３０から放熱領域４０に亘りＹ方向に延在する複数の流路２３を形成している。複数の流路２３は、シールパターン２２と共に熱輸送媒体封止基板２１および駆動パネル１１によってそれぞれ密閉された空間であり、適量の熱輸送媒体２４を保持している。シールパターン２２は、例えば紫外線（ＵＶ）硬化型樹脂や熱硬化型樹脂などの弾性を有する樹脂により構成され、熱輸送媒体２４が外部へ流出するのを防ぐ密封層として機能するうえ、熱輸送媒体封止基板２１と駆動パネル１１との接着を行う接着層としても機能する。このシールパターン２２には、一定の径をなす球状のスペーサ２２Ｓ（間隔調整部材）が含まれており、熱輸送媒体封止基板２１と駆動パネル１１とのギャップ２２Ｈが高精度に保持されている。
【００２２】
熱輸送媒体２４としては、最大熱輸送量が大きく、化学的安定性、安全性および取扱い性に優れていることから純水を用いることが好ましい。流路２３の内圧および熱輸送媒体２４の内容量は、熱輸送媒体２４が、冷却領域３０において所望の制御温度範囲の上限に達した際に気化し、放熱領域４０において液化するように調整されている。
【００２３】
次に、図３を参照して、表示パネル１０の構成について説明する。図３は、表示パネル１０の要部を拡大した断面構成を表している。表示パネル１０は、駆動パネル１１と封止パネル１２とが対向配置され、接着層１３により全面が貼り合わされている。駆動パネル１１は、ガラスなどの絶縁材料よりなる駆動用基板１１１の上に、赤色光を発する有機発光素子１１０Ｒと、緑色光を発する有機発光素子１１０Ｇと、青色光を発する有機発光素子１１０Ｂとがこの順序で並ぶように全体としてマトリクス状に設けられたものである。ここで、有機発光素子１１０Ｒ，１１０Ｇ，１１０Ｂは、それぞれ１つのサブピクセルに対応し、隣接する三つの有機発光素子１１０Ｒ，１１０Ｇ，１１０Ｂにより１つの画素１１０を構成している。
【００２４】
この有機発光素子１１０Ｒ，１１０Ｇ，１１０Ｂは、例えば駆動用基板１１１の側から、陽極１１２と、発光層を含む有機層１１３と、陰極１１４とが順に積層されている。陰極１１４の上には、酸化シリコン（ＳｉＯ2 ）あるいは窒化シリコン（ＳｉＮ）などからなる保護膜１１５が形成されている。
【００２５】
陽極１１２は、反射層としての機能も兼ねており、例えば白金（Ｐｔ），金（Ａｕ），クロム（Ｃｒ）またはタングステン（Ｗ）などの金属または合金などにより構成されている。
【００２６】
有機層１１３は、有機発光素子の発光色によって構成が異なっている。有機発光素子１１０Ｒ，１１０Ｂは、正孔輸送層、発光層および電子輸送層が陽極１１２の側からこの順に積層された構造を有しており、有機発光素子１１０Ｇは、正孔輸送層および発光層が陽極１１２の側からこの順に積層された構造を有している。正孔輸送層は、発光層への正孔注入効率を高めるためのものであり、発光層は、電流の注入により光を発するものであり、電子輸送層は、発光層への電子注入効率を高めるためのものである。
【００２７】
陰極１１４は、半透過性電極により構成されており、発光層で発生した光は陰極１１４の側から取り出されるようになっている。陰極１１４は、例えば、銀（Ａｇ），アルミニウム（Ａｌ），マグネシウム（Ｍｇ），カルシウム（Ｃａ），ナトリウム（Ｎａ）などの金属または合金などにより構成されている。
【００２８】
封止パネル１２は、駆動パネル１１の陰極１１４の側に設けられており、接着層１３０と共に有機発光素子１１０Ｒ，１１０Ｇ，１１０Ｂを封止する封止用基板１２１を有している。封止用基板１２１は、駆動用基板１１１上のすべての有機発光素子１１０Ｒ，１１０Ｇ，１１０Ｂを覆うことのできる大きさを有し、有機発光素子１１０Ｒ，１１０Ｇ，１１０Ｂで発生した光に対して透明なガラスなどの材料により構成されている。封止用基板１２１には、例えば、カラーフィルタ１２２が設けられており、有機発光素子１１０Ｒ，１１０Ｇ，１１０Ｂで発生して光を取り出すと共に、有機発光素子１１０Ｒ，１１０Ｇ，１１０Ｂならびにその間の配線において反射された外光を吸収し、コントラストを改善するようになっている。
【００２９】
接着層１３０は、駆動用基板１１１と封止用基板１２１との間に設けられ、表示装置の強度を確保すると共に、水分や酸素の侵入による有機発光素子１１０Ｒ，１１０Ｇ，１１０Ｂの結晶化および陰極１１４の剥離をより効果的に防止するようになっている。接着層１３０は、熱硬化型樹脂またはＵＶ硬化型樹脂により構成されている。但し、カラーフィルタ１２２の材料は紫外線を透過しにくいので、製造上の理由から熱硬化型樹脂により構成されていることが好ましい。
【００３０】
次に、図４から図８を参照して、本実施の形態に係る表示装置のうちの冷却装置の製造方法について説明する。
【００３１】
まず、フロート法などにより所定の寸法に加工された２枚のガラス基板を用意する。次いで、それぞれの一方の面に、例えばレーザ加工装置によって互いに平行に延在する複数のグルーブ２１Ｇ，１１Ｇを形成することにより、熱輸送媒体封止基板２１と駆動用基板１１１とを形成する。
【００３２】
次に、図４に示したように、熱輸送媒体封止基板２１の、グルーブ２１Ｇが形成された面の上に、のちにシールパターン２２となるシール部材２２Ｚを塗布する。ここでは、シール部材２２Ｚとして、スペーサ２２Ｓを含むエポキシ系のＵＶ硬化型樹脂を用い、ディスペンサ１により図１（Ａ）に示したシールパターン２２のパターン形状に沿って描画するように塗布する。この際、塗布されたシール部材２２Ｚの全体の厚みが、スペーサ２２Ｓの直径よりも大きくなるようにする。
【００３３】
シール部材２２Ｚを塗布したのち、図５に示したように、ディスペンサ２によって熱輸送媒体２４を滴下する。
【００３４】
続いて、図６に示したように、加圧手段を備えたチャンバ３の内部に図５に示した熱輸送媒体封止基板２１をそのまま載置したのち、この熱輸送媒体封止基板２１の側にグルーブ１１Ｇが形成された面を向けるようにして駆動用基板１１１を対向配置する。ここで、排気手段５によってチャンバ３の内部を減圧し、所定の真空度を保持する。さらに、相互の位置合わせを行ったのち、加圧手段（図示せず）によって矢印４の方向（上向き）に熱輸送媒体封止基板２１を移動させ、駆動用基板１１１に押し当てることにより貼り合わせを行う。ここでは、図７に示したように、駆動用基板１１１および熱輸送媒体封止基板２１の双方がスペーサ２２Ｓとそれぞれ接するまで加圧することにより、互いのギャップ２２Ｈを高精度に形成することができる。加圧した状態のまま、ＵＶ照射装置６によって所定の強度を有する紫外線を照射することによってシール部材２２Ｚを半硬化状態とし、駆動用基板１１１と熱輸送媒体封止基板２１とを仮固定する。これにより、流路２３が形成される。こののち、吸気手段７によって外気を取り入れ、チャンバ３の内部を大気圧に戻す。
【００３５】
最後に、図８に示したように、矢印９の方向へ全体を移動させながらＵＶ照射装置９によって所定の強度を有する紫外線を照射することにより、シール部材２２Ｚを完全に硬化させる。これにより、冷却装置２０が完成する。
【００３６】
なお、本実施の形態では、駆動用基板１１１と熱輸送媒体封止基板２１との貼り合わせを行う前に熱輸送媒体２４を滴下するようにしたが、シール部材２２Ｚを塗布する際に、完全に閉じたパターン形状とせず、一部に注入口を設けておき、貼り合わせののちに真空注入法などにより熱輸送媒体２４を注入するようにしてもよい。この場合、シール部材２２Ｚとして熱硬化樹脂を用いることが可能である。
【００３７】
また、シール部材２２Ｚの塗布方法としては、ディスペンサによらず、例えばスクリーン印刷などの印刷法を用いてパターン形成をおこなうようにしてもよい。その場合、パターン形成されたシール部材２２Ｚの上からスペーサ２２Ｓを散布するようにすればよい。      
【００３８】
次に、図３を参照して、表示パネル１０の製造方法について説明する。
【００３９】
まず、駆動用基板１１１の、冷却装置２０とは反対側の表面に、例えば直流スパッタリングにより陽極１１２および配線パターン（図示せず）を形成する。次いで、例えば蒸着法により、陽極１１２の上に、各色ごとに正孔輸送層、発光層および電子輸送層を順次選択的に成膜して有機層１１３を形成する。さらに、例えば蒸着法により、各有機層１１３の上に陰極１１４をそれぞれ形成する。これにより、有機発光素子１１０Ｒ，１１０Ｇ，１１０Ｂが形成される。その後、陰極１１４の上に保護膜１１５を形成する。これにより駆動パネル１１が形成される。
【００４０】
一方、封止用基板１２１の上に、カラーフィルタ１２２を各色毎に設けて封止パネル１２を形成する。そののち、封止パネル１２の、カラーフィルタ１２２側の面と、駆動パネル１１の保護膜１１５側の面との双方に接着性樹脂を塗布して対向配置する。次いで、所定の貼り合わせ装置を用いて位置決めを行ったのち加圧し、その状態を保ちつつ硬化させることにより貼り合わせを行う。これにより、封止パネル１２と駆動パネル１１との間に接着層１３０が形成され、表示パネル１０が形成される。
【００４１】
以上により、本実施の形態の表示装置が完成する。
【００４２】
このように形成された表示装置では、例えば、陽極１１２と陰極１１４との間に所定の電圧が印加されると、有機層１１３の発光層に電流が注入され、正孔と電子とが再結合することにより、主として発光層の正孔輸送層側の界面において発光が起こる。そのときの光は陰極１１４、カラーフィルタ１２２および封止用基板１２１などを透過し、射出光として取り出される。
【００４３】
この際、表示パネル１０の駆動に要する投入電力のうち、表示部分１０Ｓからの射出光以外のエネルギーの多くは熱に変換されることから、駆動中の表示装置では、表示部分１０Ｓの温度が上昇することとなる。その一方で、表示部分１０Ｓ以外の非表示部分は発熱せず、ほぼ一定の温度を保つ。このため、冷却装置２０では、表示部分１０Ｓに対応する冷却領域３０と、それを（ＸＹ平面において）取り囲む放熱領域４０との間において温度勾配が生じることとなる。この場合、表示部分１０ＳはＸＹ平面において全面に亘ってほぼ一様に発熱することから、冷却領域３０のうちの中心付近が最も高温となり、周辺部に向かうほど徐々に低い温度となる傾向がある。ここで、各々のヒートパイプ構造２０Ｈがヒートパイプとして機能することにより、冷却領域３０と放熱領域４０との間で熱輸送が行われ、その結果、表示パネル１０の表示部分１０Ｓが冷却される。
【００４４】
すなわち各ヒートパイプ構造２０Ｈでは、上記のように温度勾配が生じると、熱輸送媒体２４がその状態を変化させながら、図１（Ａ）に示した矢印に沿って流路２３を循環する。具体的には、冷却領域３０では、平衡状態にあった熱輸送媒体２４が表示部分１０Ｓから生じた熱により蒸発して蒸気へ変化する。その際、蒸発潜熱を表示部分１０Ｓから受け取ることとなり、冷却領域３０では、放熱領域４０の内圧よりも高い蒸気圧となる。この流路２３の内部における圧力差により、蒸気（気化した熱輸送媒体２４）は圧力の低い部分、すなわち放熱領域４０の側へ移動する。図１（Ａ）では、各流路２３においてＹ方向の中心位置から＋Ｙ方向および−Ｙ方向へ向けて蒸気が移動する様子を破線矢印で表している。
【００４５】
温度の低い非表示部分に対応する放熱領域４０に蒸気が到達すると、蒸気の凝縮が起こり、凝縮潜熱が放出される。凝縮して液体となった熱輸送媒体２４は、毛細管現象により、グルーブ２１Ｇ，１１Ｇに沿って再び冷却領域３０の側へ移動することとなる。図１（Ａ）では、流路２３において実線矢印によって液体としての熱輸送媒体２４の移動を表している。以上のサイクルが連続的に行われることにより、簡素かつコンパクトな構成でありながら効率的な冷却が達成される。
【００４６】
このように、本実施の形態では、複数のヒートパイプ構造２０Ｈを含む冷却装置２０を備え、冷却領域３０と放熱領域４０との間で熱輸送媒体２４を循環させるようにしたので、表示部分１０Ｓにおいて発生した熱を効率的に外部へ放出し、表示パネル１０の冷却を十分に行うことができる。特に、表示パネル１０と冷却装置２０とを一体化することにより、薄型化および軽量化を実現している。さらに、冷却装置２０を駆動させるための外部電源等が不要であるので、表示装置として簡素な構成となっている。したがって、より大きな表示部分１０Ｓを有する表示パネル１０を備えるようにした場合であっても十分な冷却を容易に行うことができる。その上、冷却ファンなどを用いた場合のような騒音が発生しないので、静音設計にも適している。
【００４７】
また、各流路２３の内部圧力を調整することにより、所望の制御温度範囲を設定することが可能である、すなわち、稼働中の表示部分１０Ｓの温度を所望の一定温度となるように保持することもできる。
【００４８】
なお、本実施の形態では、熱輸送媒体封止基板２１、駆動用基板１１１および封止用基板１２１をガラスにより構成するようにしたが、いずれもプラスチックフィルムにより構成してもよい。その場合には、配置場所の制限が少なく、携帯性にも優れたフレキシブルな形状の表示装置とすることができる。
【００４９】
以上、実施の形態を挙げて本発明を説明したが、本発明は上記実施の形態に限定されず、種々の変形が可能である。例えば上記実施の形態では、表示パネルを構成する一方の基板が冷却装置における一方の基板を兼ねるようにした表示装置について説明したが、本発明はこれに限定されるものではない。例えば、図９に示した第１の変形例（変形例１）のように、別体としての冷却装置２０Ａと表示パネル１０Ａとによって表示装置を構成してもよい。なお、その場合には、熱輸送媒体封止基板２１と対向する基板として、駆動パネル１１の代わりに第２の熱輸送媒体封止基板５１を設けるようにすればよい。冷却装置２０Ａは、単体として用いることができ、表示パネルに限らずディジタルカメラなどにおける回路基板や、各種記録媒体のドライバなどの冷却装置として適用可能である。特に、熱輸送媒体封止基板２１，５１をガラスではなくプラスチックフィルムなどの可撓性を有する材料により構成すれば、被冷却体が曲面を有する場合や動作を伴う場合にも密着させることができ、より効率的な冷却が可能となる。
【００５０】
また、上記実施の形態では、図１に示したように、互いに平行配置された短冊状の複数の流路が、全てＹ方向に延在するようにしたが、例えばＸ方向に延在するようにしてもよい。その場合には、各グルーブについても流路の延在方向と同一方向（Ｘ方向）に延在するように構成することが望ましい。また、本実施の形態では、シールパターンが複数の流路を有するようにしたが、図１０に示した第２の変形例（変形例２）のように、シールパターン２２Ａによって１つの連続した流路２３Ａを設けるようにしてもよい。また、各グルーブの断面形状についても、図２などに示したような逆台形状に限定されず、例えばＶ字形状やＵ字形状としてもよい。
【００５１】
熱輸送媒体としては、本実施の形態で挙げた純水のほか、エチルアルコール（Ｃ2 Ｈ5 ＯＨ）やアセトン（Ｃ3 Ｈ6 Ｏ）、各種代替フロン（例えばＨＦＣ系，ＨＣＦＣ系）などを用いることが可能である。
【００５２】
また、本実施の形態では、冷却装置の一方の側にのみ表示パネルと設けるようにしたが、冷却装置を挟んで両側に表示パネルを設けるようにすることもできる。さらに、本実施の形態では、一対の基板の各対向面にグルーブを設けるようにしたが、いずれか一方の面に設けるようにしてもよいし、あるいは、全く設けなくともよい。
【図面の簡単な説明】
【００５３】
【図１】本発明の一実施の形態に係る表示装置における概略構成を表す平面図、断面図および斜視図である。
【図２】図１に示した表示装置の要部構成を表す断面図である。
【図３】図１に示した表示パネルの構成を表す断面図である。
【図４】図１に示した表示装置を製造する方法における一工程を説明するための断面図である。
【図５】図４に続く工程を説明するための断面図である。
【図６】図５に続く工程を説明するための断面図である。
【図７】図６に続く工程を説明するための断面図である。
【図８】図７に続く工程を説明するための断面図である。
【図９】図１に示した表示装置の第１の変形例を表す断面図である。
【図１０】図１に示した表示装置の第２の変形例を表す断面図である。
【符号の説明】
【００５４】
１，２…ディスペンサ、３…チャンバ、５…排気手段、６，９…ＵＶ照射装置、７…吸気手段、１０，１０Ａ…表示パネル、１０Ｓ…表示部分、１１…駆動パネル、１１Ｇ，２１Ｇ…グルーブ、１２…封止パネル、２０，２０Ａ…冷却装置、２０Ｈ…ヒートパイプ構造、２１，５１…熱輸送媒体封止基板、２２，２２Ａ…シールパターン、２２Ｈ…ギャップ、２２Ｓ…スペーサ、２２Ｚ…シール部材、２３，２３Ａ…流路、２４…熱輸送媒体、３０…冷却領域、４０…放熱領域、１１０…画素、１１０Ｒ，１１０Ｇ，１１０Ｂ…有機発光素子、１１１…駆動用基板、１２１…封止用基板。
【図１】
2005337612.tif 000003
【図２】
2005337612.tif 000004
【図３】
2005337612.tif 000005
【図４】
2005337612.tif 000006
【図５】
2005337612.tif 000007
【図６】
2005337612.tif 000008
【図７】
2005337612.tif 000009
【図８】
2005337612.tif 000010
【図９】
2005337612.tif 000011
【図１０】
2005337612.tif 000012